(57)【要約】【課題】  異なる規格のコネクタに適合するコネクタを提供する。【解決手段】  コネクタは、第１基部１２１及び第１舌部１２２を含む第１絶縁部１２５が内部配置され、上係合部１１１及び下係合部１１２を含んで前端に第１開口１１３を有する第１遮蔽部１１ａと、第２基部１２３及び第２舌部１２４を含む第２絶縁部１２６が内部配置され、嵌合部２１を含んで前端に第２開口１１４を有し、前記第１遮蔽部１１ａの他方の端部で軸方向に形成される第２遮蔽部１１ｂと、一方の端部で軸方向に形成される複数の第１端子（コンタクトＡ、Ｂ、Ｃ、Ｄ）、及び、他方の端部で軸方向に形成される複数の第２端子（コンタクトＥ、Ｆ、Ｇ、Ｈ）を有し、第１絶縁部１２５及び第２絶縁部１２６からなるハウジングに保持される端子セット３とを備える。コンタクトＡ、Ｂ、Ｃ、Ｄは、それぞれコンタクトＥ、Ｆ、Ｇ、Ｈと共に形成されることを特徴とする。【選択図】  図１５
0003189868.tif 000002
【実用新案登録請求の範囲】
【請求項１】
第１のタイプのコネクタに適合するよう、第１基部及び第１舌部を含む第１絶縁部が内部配置され、上係合部及び下係合部を含んで前端に第１開口を有する第１遮蔽部と、
第２のタイプのコネクタに適合するよう、第２基部及び第２舌部を含む第２絶縁部が内部配置され、嵌合部を含んで前端に第２開口を有し、前記第１遮蔽部の他方の端部で軸方向に形成される第２遮蔽部と、
前記第１のタイプのコネクタに適合するように一方の端部で軸方向に形成される複数の第１端子、及び、前記第２のタイプのコネクタに適合するように他方の端部で軸方向に形成される複数の第２端子を有し、前記第１絶縁部及び前記第２絶縁部からなるハウジングに保持される端子セットと、を備え、
前記端子セットにおいて、前記複数の第１端子は、コンタクトＡ、コンタクトＢ、コンタクトＣ、及びコンタクトＤによって構成され、前記複数の第２端子は、コンタクトＥ、コンタクトＦ、コンタクトＧ、及びコンタクトＨによって構成され、
前記コンタクトＡは前記コンタクトＥと共に形成され、
前記コンタクトＢは前記コンタクトＦと共に形成され、
前記コンタクトＣは前記コンタクトＧと共に形成され、
前記コンタクトＤは前記コンタクトＨと共に形成されることを特徴とするコネクタ。
【請求項２】
前記端子セットは、４つの独立した金属ユニットで構成され、前記金属ユニットの一つは、一端に前記第２のタイプのコネクタのコンタクトＥを設けており、他端に前記第１のタイプのコネクタのコンタクトＡを設けることを特徴とする請求項１に記載のコネクタ。
【請求項３】
前記ハウジングは、前記第１絶縁部と前記第２絶縁部とが一つの部材として製作されることを特徴とする請求項１に記載のコネクタ。
【請求項４】
前記第１遮蔽部及び第２遮蔽部は、互いに接続して一体的に形成されていることを特徴とする請求項１に記載のコネクタ。
【請求項５】
前記第１端子は第１の幅を有し、前記第２端子は第２の幅を有し、
前記第１の幅は、前記第２の幅より広いことを特徴とする請求項１に記載のコネクタ。
【請求項６】
前記第１端子は第１接触基準面及び第１本体基準面を有し、前記第２端子は第２接触基準面及び第２本体基準面を有し、
前記第２接触基準面は前記第１接触基準面より高いことを特徴とする請求項１に記載のコネクタ。
【請求項７】
前記第１端子は第１接触基準面及び第１本体基準面を有し、前記第２端子は第２接触基準面及び第２本体基準面を有し、
前記第２本体基準面は前記第１本体基準面より低いことを特徴とする請求項１に記載のコネクタ。
【請求項８】
前記第１端子は第１の長さを有し、前記第２端子は第２の長さを有し、
前記第２の長さは前記第１の長さより長いことを特徴とする請求項１に記載のコネクタ。
【考案の詳細な説明】
【技術分野】
【０００１】
本考案は電気伝送のためのコネクタに関する。特に、異なる規格のコネクタに適合するコネクタに関する。
【背景技術】
【０００２】
特許文献１に開示されるＵＳＢアダプタは、互いに接続される２つのＵＳＢコネクタ（ＡＦ（Ａタイプメス）及びＢＭ（Ｂタイプオス））が設置されたベースを含み、ＵＳＢデバイス間のインターフェースを提供する。２つのＵＳＢコネクタが接続される信号検出表示回路は、ベース内部において基板に搭載された電気回路に接続され、２つのインターフェース間で発生された信号伝送を表示及び検出することができる。
この信号検出表示回路は、ＵＳＢデータ線路に対応しレジスタを介して電気回路に接続されたベースと、ＵＳＢパワー線路に対応しレジスタや発光ダイオードを介して電気回路に接続されたコレクタと、ＵＳＢ接地線路に対応し電気回路に接続されたエミッタと、を有するトランジスタ、及び発光ダイオードによって構成される。
【先行技術文献】
【特許文献】
【０００３】
【特許文献１】台湾実用新案公告第５６８４２９号明細書
【考案の概要】
【考案が解決しようとする課題】
【０００４】
特許文献１のＵＳＢアダプタは、アダプタ機能を確保するための電気回路を設ける必要があり、この分野での多くの応用に適合することができない。
【０００５】
本願は、上述の問題点を解決するためになされたものであり、その目的は、異なる規格のコネクタに適合し、接続手段が改良されたコネクタを提供することにある。
【課題を解決するための手段】
【０００６】
前記目的を達成するために、本考案のコネクタは、第１基部及び第１舌部を含む第１絶縁部が内部配置され、上係合部及び下係合部を含んで前端に第１開口を有する第１遮蔽部と、第２基部及び第２舌部を含む第２絶縁部が内部配置され、嵌合部を含んで前端に第２開口を有し、前記第１遮蔽部の他方の端部で軸方向に形成される第２遮蔽部と、一方の端部で軸方向に形成される複数の第１端子、及び、第２のタイプのコネクタに適合するように他方の端部で軸方向に形成される複数の第２端子を有し、第１絶縁部及び第２絶縁部からなるハウジングに保持される端子セットと、を備える。
端子セットにおいて、複数の第１端子は、コンタクトＡ、コンタクトＢ、コンタクトＣ、及びコンタクトＤによって構成され、複数の第２端子は、コンタクトＥ、コンタクトＦ、コンタクトＧ、及びコンタクトＨによって構成される。コンタクトＡはコンタクトＥと共に形成され、コンタクトＢはコンタクトＦと共に形成され、コンタクトＣはコンタクトＧと共に形成され、コンタクトＤはコンタクトＨと共に形成される。
【考案の効果】
【０００７】
従来の技術に比べると、本考案は以下の長所がある。本考案のコネクタは、一つの端子セットだけがＵＳＢデバイス間のインターフェースに供する。また、基板無しで電気の伝送を可能にし、コネクタの体積を小さくすることができる。
【図面の簡単な説明】
【０００８】
【図１】本考案の一実施形態によるコネクタの電気機器を接続した状態を示す側面図である。
【図２】本考案の一実施形態によるコネクタを示す分解側面図である。
【図３】本考案の一実施形態によるコネクタの端子セットを示す斜視図である。
【図４】本考案の他の実施形態によるコネクタの端子セットを示す斜視図である。
【図５】図４に示す端子セットの背面図である。
【図６】図４に示す端子セットの正面図である。
【図７】図４に示す端子セットの側面図である。
【図８】図２に示すハウジングの平面図、及び、そのＡ−Ａ線断面図である。
【図９】図２に示すハウジングの側面図、及び、そのＢ−Ｂ線断面図である。
【図１０】図２に示すハウジングの側面図、及び、そのＣ−Ｃ線断面図である。
【図１１】端子セットの接点の割り当てを示す表である。
【図１２】図４に示す端子セットの重量バランスを模式的に示す側面図である。
【図１３】図２に示すハウジングの重量バランスを模式的に示す側面図である。
【図１４】本考案の一実施形態によるコネクタを示す斜視図である。
【図１５】本考案の一実施形態によるコネクタを示す分解斜視図である。
【図１６】本考案の一実施形態によるコネクタの端子セットを示す平面図である。
【図１７】本考案の他の実施形態によるコネクタを示す斜視図である。
【考案を実施するための形態】
【０００９】
以下、本考案の一実施形態によるコネクタを図面に基づいて説明する。
図３及び図４に、コネクタの端子セット３を示す。図３に示す端子セット３は、連結帯３３を備えている。図４に示す端子セット３は、各端子３が分離している。
【００１０】
図３に示すように、端子セット３は、各々異なる方向に延びる複数の第１端子３１ａ、３１ｂ、３１ｃ、３１ｄ、及び複数の第２端子３２ａ、３２ｂ、３２ｃ、３２ｄを備え、連結帯３３と一体に構成されている。
【００１１】
図４に示すように、図３の状態から連結帯３３が除去された端子セット３は、４つの部分に分割される。第１端子３１ａ、３１ｂ、３１ｃ、３１ｄの各々は、第１弾性接触部３４１と第1本体部３４２とを有する。また、第２端子３２ａ、３２ｂ、３２ｃ、３２ｄの各々は、第２弾性接触部３５１と第２本体部３５２とを有する。
【００１２】
図５に示すように、複数の第２端子３２ａ、３２ｂ、３２ｃ、３２ｄは、第２端子３２ｄが２つに分かれ、５つの等しい横方向の幅“Ｙ”を有している。
また、図６に示すように、複数の第１端子３１ａ、３１ｂ、３１ｃ、３１ｄは、４つの等しい横方向の幅“Ｘ”を有している。
【００１３】
所定の幅“Ｘ”は、公差を含め、1. ００±０. ０５ミリメートルである。
所定の幅“Ｙ”は、公差を含め、０．２５±０. ０５ミリメートルである。
図５、図６に示すように、第１端子３１ａ、３１ｂ、３１ｃ、３１ｄの所定の幅“Ｘ”（以下、第１の幅）は、第２端子３２ａ、３２ｂ、３２ｃ、３２ｄの所定の幅“Ｙ”（以下、第２の幅）より広い。
【００１４】
図７及び図８に示すように、第１端子３１ａ、３１ｂ、３１ｃ、３１ｄは、第１接触基準面３４３と第１本体基準面３４４とを含む様々な高さを有し、端子ボディを構成する。
図６を参照すると、第１接触基準面３４３は、すべての第１端子の第１弾性接触部３４１の接触面が均等の高さに配置されている。第１本体基準面３４４は、すべての第１端子の第１本体部３４２の体表面が均等の高さに配置されている。第１本体基準面３４４は、第１接触基準面３４３よりも高く形成されている。
【００１５】
第２端子３２ａ、３２ｂ、３２ｃ、３２ｄは、第２接触基準面３５３と第２本体基準面３５４とを含む様々な高さを有し、端子ボディを構成する。
図５を参照すると、第２接触基準面３５３は、すべての第２端子の第２弾性接触部３５１の接触面が均等の高さに配置されている。第２本体基準面３５４は、すべての第２端子の第２本体部３５２の体表面が均等の高さに配置されている。第２本体基準面３５４は、第２接触基準面３５３よりも低く形成されている。
【００１６】
第２接触基準面３５３は、第１接触基準面３４３よりも高く形成され、第２本体基準面３５４は、第１本体基準面３４４よりも低く形成されている。また、第２接触基準面３５３は、第１本体基準面３４４よりも低く形成され、第１接触基準面３４３は、第２本体基準面３５４よりも低く形成されている。（図７）
【００１７】
以下の図５の説明は、端子セットの接点の割り当てを示す図１１を参照して理解する必要がある。
【００１８】
端子セット３は、第１のタイプのコネクタに適合するようにコネクタの一方の端部で軸方向に形成され、コンタクトＡ（３１ａ）、コンタクトＢ（３１ｂ）、コンタクトＣ（３１ｃ）、及びコンタクトＤ（３１ｄ）を含み第１の幅を有する複数の第１端子と、第２のタイプのコネクタに適合するようにコネクタの他方の端部で軸方向に形成され、コンタクトＥ（３２ａ）、コンタクトＦ（３２ｂ）、コンタクトＧ（３２ｃ）、及びコンタクトＨ（３２ｄ）と含み第２の幅を備える複数の第２端子と、を含むグループで構成されている。
【００１９】
反対側にコンタクトＡ（３１ａ）が形成されたコンタクトＥ又はコンタクトペアＥ（３２ａ）は、２つのアームを備える。コンタクトＢ（３１ｂ）はコンタクトＦ（３２ｂ）と共に形成され、コンタクトＣ（３１ｃ）はコンタクトＧ（３２ｃ）と共に形成され、コンタクトＤ（３１ｄ）はコンタクトＨ（３２ｄ）と共に形成されている。各コンタクトの連結のために、１回のプレス加工で４つの端子を作るようにして端子セット３を構成してもよい。
【００２０】
コンタクトＤ（３１ｄ）は電力（ＶＢＵＳ）を提供するための端子であり、コンタクトＣ（３１ｃ）は負差動信号（Ｄ−）を送信するための端子であり、コンタクトＢ（３１ｂ）は正差動信号（Ｄ＋）を送信するための端子であり、コンタクトＡ（３１ａ）は接地（ＧＮＤ）を提供するための端子である。さらに、コンタクトＨ（３２ｄ）は電力（ＶＢＵＳ）を提供するための端子であり、コンタクトＧ（３２ｃ）は負差動信号（Ｄ−）を送信するための端子であり、コンタクトＦ（３２ｂ）は正差動信号（Ｄ＋）を送信するための端子である。コンタクトペアＥ（３２ａ）は、別々に一つの接地（ＧＮＤ）コンタクト及びその他一つのスイッチ（検出）コンタクトを提供するための端子である。接地コンタクトは、端子セット３の中心から離れた位置に設けられる。
【００２１】
端子セット３は、４つの独立した金属ユニットで構成されている。金属ユニットの一つは、一端に第２のタイプのコネクタのコンタクトペアＥ（３２ａ）を提供し、他端に第１のタイプのコネクタのコンタクトＡ（３１ａ）を提供する。金属ユニットの残り三つは、一端に第１のタイプのコネクタのコンタクトＤ（３１ｄ）、コンタクトＣ（３１ｃ）、及びコンタクトＢ（３１ｂ）を提供し、他端に第２のタイプのコネクタのコンタクトＨ（３２ｄ）、コンタクトＧ（３２ｃ）、及びコンタクトＦ（３２ｂ）を提供する。
【００２２】
図７を参照すると、端子セット３から突出する第１端子３１ａ、３１ｂ、３１ｃ、３１ｄは、所定の長さ“Ｗ”に形成されている。端子セット３から突出する第２端子３２ｂ、３２ｃ、は、所定の長さ“Ｖ２”に形成され、端子セット３から突出する第２端子３２ａ、３２ｄは、“Ｖ２”より長い所定の長さ“Ｖ１”に形成されている。第１の幅を有する第１端子３１ａ、３１ｂ、３１ｃ、３１ｄは、屈曲部３６が構成された分界点で第２の幅を有する第２端子３２ａ、３２ｂ、３２ｃ、３２ｄとは区別される。
【００２３】
所定の長さ“Ｗ”は、公差を含め、５.００±０．０５ミリメートルである。
所定の長さ“Ｖ１”は、公差を含め、１１.００±０．０５ミリメートルである。
所定の長さ“Ｖ２”は、公差を含め、１０.００±０．０５ミリメートルである。
端子セット３は、それぞれ屈曲部３６で区別された分界点から両端に延在している（図７）。第１端子３１ａ、３１ｂ、３１ｃ、３１ｄが有する所定の長さ“Ｗ”（以下、第１の長さ）は、第２端子３２ａ、３２ｂ、３２ｃ、３２ｄが有する所定の長さ“Ｖ１”（以下、第２の長さ）及び“Ｖ２”（以下、第３の長さ）より短い。
【００２４】
図９に示すように、第１の幅を有する第１端子３１ａ、３１ｂ、３１ｃ、３１ｄは、第１の幅“Ｘ”よりも広い第３の幅“Ｚ”を有する第１本体部３４２を構成する少なくとも一つの端子を含む。
所定の幅“Ｚ”は、公差を含め、１.６８±０．０５ミリメートルである。
【００２５】
第１の幅を有する第１端子３１ａ、３１ｂ、３１ｃ、３１ｄは、第１弾性接触部３４１への角固定部３７１を有し第１本体部３４２を構成する少なくとも一つの端子と、第２弾性接触部３５１への面固定部３７２を有し第２本体部３５２を構成する少なくとも一つの端子と、を含む。角固定部は面固定部に置き換えることができ、角固定部３７１及び面固定部３７２はハウジング１２に包まれている。
【００２６】
図１０に示すように、複数の溝１３は、端子セット３と第１端子３１ａ、３１ｂ、３１ｃ、３１ｄとの間に形成されている。図３に示すように、第２端子３２ａ、３２ｂ、３２ｃ、３２ｄは第２弾性接触部３５１にて先が細くなるように形成されている。
【００２７】
さらに、図１及び図２に示すように、通常、中空の金属体である遮蔽部品１１は、２つの部品が含まれている。電気的遮蔽が形成されるように、端子セット３は遮蔽部品１１によって取り囲まれる。挿入されたコネクタ９を通じて送信することで、ＥＭＩ影響が低減される。コネクタ９又は主コネクタ９は、対応コネクタ１０１が設置された電気機器１０に挿入され、次コネクタ９９がさらに主コネクタ９に挿入される。したがって、主コネクタ９は、次コネクタ９９と対応コネクタ１０１の間のブリッジとして提供される。このとき、端子セット３及びハウジング１２の重心をどのように配置するかを考えることが必要である。
【００２８】
ハウジング１２はインサート成形によって形成され、端子セット３は、ハウジング１２に保持され、第１弾性接触部３４１だけを一方に露出している。第１弾性接触部３４１に対応し、対応コネクタ１０１に接続される嵌合部２１は、ハウジング１２の反対側に装設されている。
【００２９】
図１２及び図１３に示すように、分界点は屈曲部３６で構成されている。端子セット３の第１端子３１ａ、３１ｂ、３１ｃ、３１ｄは、第１の長さ“Ｗ”を有し、端子セット３の第２端子３２ａ、３２ｂ、３２ｃ、３２ｄは、第２の長さ“Ｖ１”及び第３の長さ“Ｖ２”を有している。
【００３０】
図１４、図１５及び図１６に示すように、本考案の一実施例によるコネクタは、以下の製造工程により製造される。
ステップ１：第１遮蔽部１１ａ及び第２遮蔽部１１ｂを有する遮蔽部件１１を形成する。
ステップ２：端子セット３を形成する。
ステップ３：ハウジング１２内部に端子セット３を保持する。
ステップ４：ハウジング１２と遮蔽部品１１とを組み立てる。
ステップ５：第１規格と第２規格とを備えるコネクタ９を形成する。
【００３１】
上述の製造工程は、以下の特徴を有するコネクタ９を提供する。
【００３２】
このコネクタ９において、上係合部１１１及び下係合部１１２を含んで前端に第１開口１１３を有する金属製の電磁波シールドである第１遮蔽部１１ａは、第１基部１２１及び第１舌部１２２を含む第１絶縁部１２５（ハウジング１２の一部）と共に、第１のタイプのコネクタに適合する。
例えば、ユニバーサル・シリアル・バス（Ｕｎｉｖｅｒｓａｌ  Ｓｅｒｉａｌ  Ｂｕｓ、ＵＳＢ）タイプのコネクタを構成するために、第１舌部１２２の高さが１. ８４ミリメートルに設定され、第１開口１１３の高さが５. １２ミリメートルに設定され、４つの端子が配置される。しかし、保持力の条件を考慮すれば、係合部１１１、１１２を一つだけ設け、又は互いに置き換えて、横方向に反対側に配置することを除外しない。
【００３３】
このコネクタ９において、第１遮蔽部１１ａの他方の端部で軸方向に形成されホール１１５を含んで前端に第２開口１１４を形成する金属製の電磁波シールドである第２遮蔽部１１ｂは、第２基部１２３及び第２舌部１２４を含む第２絶縁部１２６（ハウジング１２の一部）と共に、第２のタイプのコネクタに適合する。
例えば、ＭｉｃｒｏＵＳＢタイプのプラグコネクタを構成するために、第２舌部１２４の幅が３. ６０ミリメートルに設定され、第２開口１１４の幅が１. ８０ミリメートルに設定され、５つの端子が配置される。
【００３４】
図１５に示すように、前記第２基部１２３及び第２舌部１２４を含む第２絶縁部１２６（ハウジング１２の一部）は、上下両体と共に形成することが可能であり、また、今時のコネクタの技術水準で一体的に形成されることができる。さらに、ホール１１５には嵌合部２１の一部が挿通し、ホール１１５を通過した嵌合部２１の一部が電気機器１０の対応コネクタ１０１に取り付けられる。嵌合部２１は、ホール１１５と共に対応コネクタ１０１に取り付けられ、従来、一対の金属製部品で構成されている。しかし、引抜力の条件を考慮すれば、プレス工程によって嵌合部２１が形成されることを除外しない。
【００３５】
前記第１絶縁部１２５及び第２絶縁部１２６は、一つの部材として構成され、また、今時のコネクタの技術水準で、インサート成形によって一体的に形成されることができる。第１基部１２１及び第１舌部１２２を覆う第１遮蔽部１１ａ、並びに、第２基部１２３及び第２舌部１２４を覆う第２遮蔽部１１ｂにおいて、第１絶縁部１２５及び第２絶縁部１２６をより接近させることができ、その結果、コネクタ９の体積を減らすことができる。
第１遮蔽部１１ａ及び第２遮蔽部１１ｂは、使い終わった既存の遮蔽部品を用いて形成することができる。第１のタイプの第１遮蔽部１１ａ及び第２のタイプの第２遮蔽部１１ｂがある場合、新たな道具や金型の開発を省略し、コストを低減することができる。さらに、プレス工程によって第１遮蔽部１１ａ及び第２遮蔽部１１ｂを一体的に構成することを除外しない。図１７を参照すると、第１絶縁部１２５及び第２絶縁部１２６は互いに接続されている。
【００３６】
いわゆるインサート成形では、第１絶縁部１２５及び第２絶縁部１２６が端子セット３の周囲を取り囲む。今時のコネクタの技術水準で、ハウジングの空隙またはチャネルに端子をインサートすることは通常である。しかし、第１絶縁部１２５及び第２絶縁部１２６がインサート成形によって一体的に形成される場合は、端子セット３はハウジング１２に完全に固設される。
【００３７】
図７及び図１２に示すように、屈曲部３６から両端に軸方向に延びる端子セット３において、第１端子３１ａ、３１ｂ、３１ｃ、３１ｄの第１の長さ“Ｗ”は、第２端子３２ａ、３２ｂ、３２ｃ、３２ｄの第２の長さ“Ｖ１”及び第３の長さ“Ｖ２”より短い。そして、本考案は、端子セット３やハウジング１２の重心をどのように配置するかについて、好ましい端子長さの構成を考える。コネクタ９の重力分布が図１２中の仮想線に示されている。三角形で表記された屈曲部３６は、コネクタ９の重心に位置する。本考案によるコネクタ９は、コネクタ９のバランスのためのよい解決策を提供する。
【００３８】
図１３に示すように、端子セット３を保持するハウジング１２は、詳しくは、第１舌部１２２を突出する第１基部１２１、及び第２舌部１２４を突出する第２基部１２３から構成される。第１端子３１ａ、３１ｂ、３１ｃ、３１ｄを包むための大きなハウジング１２を形成する場合には、より多くの絶縁性材料が必要とされ、また、第２端子３２ａ、３２ｂ、３２ｃ、３２ｄを包むための小さなハウジング１２を形成する場合には、より少ない絶縁性材料が必要とされる。ハウジング１２の重量と端子セット３の長さとの関係を考慮することが必要である。特にコネクタ９が電気機器１０に挿入された状態では、コネクタ９のバランスは第２舌部に移行する。
【００３９】
図１及び図１３を参照すると、コネクタ９は、電気機器１０に挿入されている。コネクタ９の大部分は、対応コネクタ１０１のみによって保持され、空中に掛かっている。コネクタ９のバランスは、このように第２舌部１２４に移行する。
【００４０】
なお、以上は本考案の一実施形態の説明に過ぎず、本考案の技術的範囲を限定するものではなく、本考案の明細書及び図面の内容に基づきなし得る簡易な修飾及び同じ効果を達成できる構造変化は、いずれも本考案の技術的範囲に属する。
【符号の説明】
【００４１】
１０    ・・・電気機器、
１０１  ・・・対応コネクタ、
１１    ・・・遮蔽部品、
１１ａ  ・・・第１遮蔽部、
１１１  ・・・上係合部、
１１２  ・・・下係合部、
１１３  ・・・第１開口、
１１ｂ  ・・・第２遮蔽部、
１１４  ・・・第２開口、
１１５  ・・・ホール、
１２    ・・・ハウジング、
１２１  ・・・第１基部、
１２２  ・・・第１舌部、
１２３  ・・・第２基部、
１２４  ・・・第２舌部、
１２５  ・・・第１絶縁部、
１２６  ・・・第２絶縁部、
１３    ・・・溝、
２１    ・・・嵌合部、
３      ・・・端子セット、
３１ａ  ・・・コンタクトＡ、
３１ｂ  ・・・コンタクトＢ、
３１ｃ  ・・・コンタクトＣ、
３１ｄ  ・・・コンタクトＤ、
３２ａ  ・・・コンタクトＥ（コンタクトペアＥ）、
３２ｂ  ・・・コンタクトＦ、
３２ｃ  ・・・コンタクトＧ、
３２ｄ  ・・・コンタクトＨ、
３３    ・・・連結帯、
３４１    ・・・第１弾性接触部、
３４２    ・・・第１本体部、
３４３    ・・・第１接触基準面、
３４４    ・・・第１本体基準面、
３５１    ・・・第２弾性接触部、
３５２    ・・・第２本体部、
３５３    ・・・第２接触基準面、
３５４    ・・・第２本体基準面、
３６      ・・・屈曲部、
３７１    ・・・角固定部、
３７２    ・・・面固定部、
９        ・・・コネクタ（主コネクタ）、
９９      ・・・次コネクタ
【図１】
0003189868.tif 000003
【図２】
0003189868.tif 000004
【図３】
0003189868.tif 000005
【図４】
0003189868.tif 000006
【図５】
0003189868.tif 000007
【図６】
0003189868.tif 000008
【図７】
0003189868.tif 000009
【図８】
0003189868.tif 000010
【図９】
0003189868.tif 000011
【図１０】
0003189868.tif 000012
【図１１】
0003189868.tif 000013
【図１２】
0003189868.tif 000014
【図１３】
0003189868.tif 000015
【図１４】
0003189868.tif 000016
【図１５】
0003189868.tif 000017
【図１６】
0003189868.tif 000018
【図１７】
0003189868.tif 000019